(57)【要約】【課題】  夏、家庭内の冷房で、足元が冷える時、足を保温したいが、ソックスやハイソックスを履くと暑くなり、足先や足の裏が蒸れることがある。しかし、それらを脱ぐと、足元が冷えてくる。また、サンダル等を履いて、素足のまま買い物等に出かけるときも、冷房の効きすぎたスーパーマーケット等の中では、足元が冷える。従来のソックスを履いて出かけたときは、戸外では、足先や足の裏が蒸れる不快感を味わうことになる。【解決するための手段】  ソックスやハイソックスのつま先から１ｃｍか１．５ｃｍのところで編むのを止め、編み終わりは、ゴム編みや引き抜き編み等にする。このゴム編みや引き抜き編み等は、足の裏の平らな部分でなく、足の指の下半分、つまり、足指の付け根に近い、指の半分くらいの部分に接触するように編み上げる。この足指部分に触れるゴム編みや引き抜き編み等は、足の甲あたりの幅より小さくなるので、ソックスやハイソックスが足の上の方にずり上がるのを防ぐ。【特許請求の範囲】
【請求項１】
つま先部分がないソックスまたはハイソックス
【発明の詳細な説明】
【技術分野】
【０００１】ソックスあるいはハイソックスに関する
【技術背景】
【０００２】  夏、冷房等で足元が冷える時、足元を保温したくなる。そこでソックス等をはくと少し暑く、足先が蒸れることもある。そして、ソックスを脱ぐと、知らないうちに必要以上に足元が冷えていることがある。
【課題を解決するための手段】
【０００３】  そこで、ソックスのつま先から１ｃｍか２ｃｍのところで編むのを止め、編み終わりは、足の裏に違和感がないように、引きぬき編みやゴム編み等にする。
【発明の効果】
【０００４】  つま先部分を除いたつま先のないソックスならば、足元を保温し、しかも足のつま先が蒸れる不快感を少なくすることができる。
【０００５】  また、サンダルや、つっかけを履いて買い物等に出かけるときも、冷房の効いた部屋中では足元を保温し、戸外では、つま先や足の裏が蒸れるのを少なくする。
【図面の簡単な説明】
【図１】    夏場に涼しい、つま先部分がないソックスまたはハイソックスを履いた時の斜視図
【図２】    夏場に涼しい、つま先部分がないソックスまたはハイソックスを履いた時のソックスやハイソックスの状態
【符号の説明】
１    ゴム編み
２    平編み等
３    ゴム編みまたは平編み等
【図１】
2005105505.tif 000002
【図２】
2005105505.tif 000003
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
ソックスやハイソックスのつま先から１ｃｍか１．５ｃｍのところで編むのを止め、編み終わりをゴム編みや引きぬき編み等にする。そして、このゴム編みや引きぬき編み等の位置は、足の裏の平らな部分でなく、足の指の下半分、つまり、足指の付け根に近い、足指の半分くらいの部分に接勉するように編み上げる。
【手続補正２】
【補正対象書類名】明細書
【補正対象項目名】全文
【補正方法】変更
【補正の内容】
【書類名】        明細書【発明の名称】  夏場に涼しい、つま先部分の一部をカットしたソックスやハイソックス【技術分野】【０００１】ソックスあるいはハイソックスに関する【技術背景】【０００２】  つま先部分の一部をカットしたソックスやハイソックスは、ほとんど例がないが、実登３０１８３１９に１例だけ見られる。しかし、これは、遠赤外線の素材を使用した、冬場の保温、保湿のためのソックスで、夏場、涼しくするために、つま先部分をカットしたものではない。また、この実登３０１８３１９のつま先のカットは、肘や膝のサポーターと同じように、かかとに、よりフィットするためにつま先をカットしたと考えられます。私が考案した夏場に涼しい、つま先部分の一部をカットしたソックスやハイソックスは、風通しをよくし、蒸れにくくする為につま先部分をカットしました。しかし、足の裏の履き心地を良くするため、カットするのはつま先から１ｃｍか１．５ｃｍのところです。実登３０１８３１９請求項１のヒールソックスのつま先部分を切る箇所は、名前から判断しても足の裏の、よりつま先に近い部分は、ある程度、大幅にカットするようにイメージして出願、製造されていると思われます。また、この実登３０１８３１９請求項１のヒールソックスは、素材全体に遠赤外線を放射する繊維を使っていて、冬場の冷える時期に使用するように作られたもので、しかも寒い時期にもかかわらず、つま先をカットするので、膝や、肘のサポーターと同じように、１つだけでは使用しにくく、サポータータイプのソックスと考えられます。従って、このヒールソックスは、その上に普通のソックスを履いて使用すると考えられます。私が考案した夏場に涼しい、つま先部分の一部をカットしたソックスやハイソックスは、これだけで使用し、上や中に別のソックスを履いたりはしません。従って、実登３０１８３１９請求項１のヒールソックスは、私が考案した夏場に涼しい、つま先部分の一部をカットしたソックスやハイソックスと別のものと考えます。【実登文献１】３０１８３１９【発明が解決しようとする課題】【０００３】  夏、家庭内の冷房で、足元が冷える時、足を保温したいが、ソックスやハイソックスを履くと暑くなり、足先や足の裏が蒸れることもある。しかし、ソックスやハイソックスを脱ぐと、知らないうちに必要以上に足元が冷えていることがあり、ソックスやハイソックスを脱いだり、履いたりして温度調節しないといけない。また、サンダルや、つっかけを履いて、素足のまま買い物等に出かけるとき、冷房の効きすぎたスーパーマーケット等の中では、必要以上に足元が冷える。サンダルや、つっかけを履いて、素足でなく、ソックスやハイソックスを履いて買い物等に出かけたときは、戸外で、足先や足の裏が蒸れることになる。【課題を解決するための手段】【０００４】  ソックスやハイソックスのつま先から１ｃｍか１．５ｃｍのところでむのを止め、編み終わりは、ゴム編みや引き抜き編み等にする。足の裏の平らな部分にゴム編みがあたると、履き心地が悪くなるので、このゴム編みや引きぬき編み等は、足の裏の平らな部分でなく、足の指の下半分、つまり、足指の付け根に近い、指の半分くらいの部分に接触するように編み上げる。【発明の効果】��０００５】  つま先部分の一部をカットしたソックスやハイソックスならば、夏場、家庭内の冷房の効いた部屋で足元を保温し、しかも足のつま先が蒸れる不快感をすくなくすることができるので、ソックスやハイソックスを履いたり脱いだりする手間が省ける。そして、この足指部分に触れるゴム編みや引き抜き編み等は、つま先に近いため、足の甲あたりの幅より小さくなるので、ソックスやハイソックスが足の上の方にずり上がるのを防ぐ。【０００６】  また近所のスーパーマーケット等にサンダルやつっかけを履いて買い物に行く時に、この、つま先部分の一部をカットしたソックスやハイソックスを履いていると、スーパーマーケット等の中での冷房から足元を保温でき、しかも、スーパーマーケット等からでた戸外では、つま先や足の裏が蒸れるのを、従来のソックスやハイソックスに比べ、少なくすることができる。【図面の簡単な説明】【０００７】【図１】  夏場に涼しい、つま先部分がないソックスまたハイソックスを履いた時の斜視図【図２】  夏場に涼しい、つま先部分がないソックスまたハイソックスを履いた時のソックスやハイソックスの状態【図３】  つま先部分を上から見た図【符号の説明】【０００８】  １    ゴム編み  ２    平編み等  ３    ゴム編みまたは引きぬき編み等【手続補正３】
【補正対象書類名】図面
【補正対象項目名】全図
【補正方法】変更
【補正の内容】
【図１】
2005105505.tif 000004
【図２】
2005105505.tif 000005
【図３】
2005105505.tif 000006
【手続補正書】
【提出日】平成16年11月16日(2004.11.16)
【手続補正１】
【補正対象書類名】図面
【補正対象項目名】全図
【補正方法】変更
【補正の内容】
【図１】
2005105505.tif 000007
【図２】
2005105505.tif 000008
【図３】
2005105505.tif 000009